(57)【要約】      （修正有）【課題】多数本のボトル類を整列させて、基板の多数の挿通穴にボトル類の首部を挿通させて、基板を取り外すと販促品収納袋が各ボトル類の首部に残るようにする。【解決手段】シート状の基板１はボトル類の首部を挿通させる多数の基板挿通穴１ａと、基板挿通穴の両側に穿設した係止用挿通穴１ｂと、係止用挿通穴と基板挿通穴との間に係止片１ｃを形成するように切断した切断線１ｄと、係止用挿通穴の外側に切り込んだ係止用挿通穴切断線１ｅとを備え、販促品収納袋２は収納袋部２ａと、収納袋部に延設させた袋側挿通穴２ｂを穿設した装着部２ｃと、装着部２ｃと収納袋部２ａとの間に介装した袋側係止部２ｄと、袋側係止部に係止用挿通穴の側辺を挿通させる係止用切込部２ｅと、を備えた。【選択図】図１
0003120668.tif 000002
【実用新案登録請求の範囲】
【請求項１】
多数本のボトル類を整列させて並置した夫々の首部に一括して販促品収納袋を装着する装着具であって、前記多数本のボトル類を整列させて並置したスペースより大きいシート状の基板は夫々のボトル類の首部を挿通させる円形と長方形を延設させて穿設した略鍵穴状の多数の基板挿通穴と、該夫々の基板挿通穴の両側に穿設した矩形状の係止用挿通穴と、該夫々の係止用挿通穴と前記基板挿通穴との間に夫々係止片を形成するように切断した切断線と、前記夫々の係止用挿通穴の外側に切り込んだ夫々の係止用挿通穴切断線とを備え、前記販促品収納袋は販促品を収納する収納袋部と、該収納袋部に延設させたボトル類の首部を挿通させる円形の袋側挿通穴を穿設した装着部と、該装着部と前記収納袋部との間に介装した基板の切断線に沿って挿通させる帯状の袋側係止部と、該袋側係止部の基部の両側にコ字状に切り込んだ基板の係止用挿通穴の側辺を挿通させる係止用切込部と、を備えたことを特徴とするボトル類用販促品の装着具。
【考案の詳細な説明】
【技術分野】
【０００１】  本考案は、多数のペットボトル又は瓶等のボトル類の首部に販促品収納袋を装着する装着具に関するものであり、更に詳細には、整列させた多数のボトル類の首部に一括して販促品収納袋を装着できるボトル類用販促品の装着具に関するものである。
【背景技術】
【０００２】  従来、この種のペットボトル又は瓶等のボトル類は飲料水や液体調味料等を充填してコンビニエンスストア、スーパーマーケット、自動販売機で大量に市販されており、多数のメーカーが参入し、然も、他種類が販売され、乱売状態で販売されており、その為、各メーカーではキャンペーンを画策して販促品を袋に収納してボトル類の首部に付与して販売することが頻繁に行われているが、多数のボトル類の一本一本に販促品が収納された袋を装着するのは手間暇がかかり、コストがかかるものであった。【０００３】  その為、人件費の廉価な地域で販促品をボトル類に装着することが理想であるが、飲用物等を充填したボトル類は嵩張る上に重量があり、大量に消費される都会から人件費の廉価な遠方に輸送して返送させると送料が高価なものとなって非現実的なものと成っている。【０００４】  例えば、基板３に複数のボトルの頸部が挿通自在の複数の第１挿通穴４を設ける。各第１挿通穴４の内周縁に鍔部に係止する複数の係止片６を設ける。基板３の両側縁に、基板３の裏面側に折り返して重合される一対の折返し片１１，１２を設ける。各折返し片１１，１２に、ボトルの頸部が挿通自在の第２挿通穴１３，１５を設けるもの（特許文献１参照）や、薄板状の本体部１に飲食料用の合成樹脂製ボトルの頸部の径よりも大きい孔３を適宜間隔で複数個形成し、該孔３の周縁から内方に向けて放射方向に複数の舌片状の保持片５を全体が花びら状になるように突出してボトルの頸部に装着したキャップの下方部で前記頸部に形成されている鍔部を下方から支承する保持部２を形成し、保持部２間に位置させて手提げハンドル７を取り付けたもの（特許文献２参照）が先に開示されている。
【特許文献１】特開２００４−１８９２４３号公報
【特許文献２】特開２０００−２８９７７０号公報
【考案の開示】
【考案が解決しようとする課題】
【０００５】  然し乍ら、従来、開示されている特許文献１や特許文献２では、ボトル類の首部を挿通させる挿通穴は備えているものの、複数のボトル類の首部を挿通穴に挿通させることで、ボトル類を結束させて搬送や携帯を容易にさせるものであり、販促品の収納袋を一括して装着する目的の発想は無いものである。
【課題を解決するための手段】
【０００６】  本考案は、前述の課題に鑑み、鋭意研鑽の結果、多数本のボトル類を整列させて並置した夫々の首部に一括して販促品収納袋を装着する装着具であって、シート状の基板はボトル類の首部を挿通させる略鍵穴状の多数の基板挿通穴と、基板挿通穴の両側に穿設した係止用挿通穴と、係止用挿通穴と基板挿通穴との間に係止片を形成するように切断した切断線と、係止用挿通穴の外側に切り込んだ係止用挿通穴切断線とを備え、販促品収納袋は収納袋部と、収納袋部に延設させた袋側挿通穴を穿設した装着部と、装着部と収納袋部との間に介装した袋側係止部と、袋側係止部の基部の両側に切り込んだ係止用切込部と、を備えたものである。
【考案の効果】
【０００７】  本考案のボトル類用販促品の装着具は、前述の構成により、多数本のボトル類を整列させて並置させて、基板の多数の基板挿通穴に多数本のボトル類の首部を挿通させて、基板を取り外すと販促品収納袋が各ボトル類の首部に残るものであり、基板への販促品が収納された販促品収納袋の装着をコストの廉価な地域で行い、消費地でボトル類の首部に一括して装着することから大きなコストを掛けなくても販促品を装着できるもので、画期的で実用性の高い考案である。
【考案を実施するための最良の形態】
【０００８】  本考案は、多数のペットボトル又は瓶等のボトル類の首部に販促品収納袋を装着する装着具に関するものであり、更に詳細には、整列させた多数のボトル類の首部に一括して販促品収納袋を装着できるボトル類用販促品の装着具に関するものであり、多数本のボトル類を整列させて並置した夫々の首部に一括して販促品収納袋２を装着する装着具であって、前記多数本のボトル類を整列させて並置したスペースより大きいシート状の基板１は夫々のボトル類の首部を挿通させる円形と長方形を延設させて穿設した略鍵穴状の多数の基板挿通穴１ａと、該夫々の基板挿通穴１ａの両側に穿設した矩形状の係止用挿通穴１ｂと、該夫々の係止用挿通穴１ｂと前記基板挿通穴１ａとの間に夫々係止片１ｃを形成するように切断した切断線１ｄと、前記夫々の係止用挿通穴１ｂの外側に切り込んだ夫々の係止用挿通穴切断線１ｅとを備え、前記販促品収納袋２は販促品を収納する収納袋部２ａと、該収納袋部２ａに延設させたボトル類の首部を挿通させる円形の袋側挿通穴２ｂを穿設した装着部２ｃと、該装着部２ｃと前記収納袋部２ａとの間に介装した基板１の切断線１ｄに沿って挿通させる帯状の袋側係止部２ｄと、該袋側係止部２ｄの基部の両側にコ字状に切り込んだ基板１の係止用挿通穴１ｂの側辺を挿通させる係止用切込部２ｅと、を備えたものである。
【実施例】
【０００９】  以下、本考案のボトル類用販促品の装着具の実施例の図面によって具体的に説明すると、図１は本考案のボトル類用販促品の装着具の装着状態を説明するための平面図であり、図２は本考案のボトル類用販促品の装着具の実施例の基板を説明するための展開図であり、図３は本考案のボトル類用販促品の装着具の実施例の販促品収納袋を説明するための平面図であり、図４は本考案のボトル類用販促品の装着具の実施例の販促品収納袋を説明するための側面図である。【００１０】  即ち、本考案のボトル類用販促品の装着具を装着するボトル類とは、汎用されているプラスチック製のペットボトル、ガラス製の瓶等のことであり、コーラ、ジュース、コーヒー、お茶等の飲料水、又は、醤油、食用油等の液体調味料等を充填して、コンビニエンスストアー、スーパーマーケット、自動販売機等で販売されているものであり、載置するための底部と筒状のボトル類胴部と上方に窄まる肩部と、肩部の上方の首部と、首部の上端に開口させた口部とから成り、口部をキャップで閉蓋しているものである。【００１１】  そして、ボトル類はケースや枠体に整列させて多数本、例えば４×６本、立てた状態で並置されて収容されているもので、その多数のボトル類の首部に一括して販促品収納袋２を装着するものであり、装着具はシート状の基板１とボトル類と同数の販促品収納袋２から成るものである。【００１２】  次に、基板１は、図２に図示する実施例の如く、多数本のボトル類を整列させて並置したスペースより若干大きい厚紙等のシート状のもので、外周にはボトル類を収納したケースの内側形状に沿って折り曲げる折曲線を介して折曲片１ｆを設けており、該折曲片１ｆの外側には基板１を持ち上げるための取手片１ｇを延設しているものである。【００１３】  次いで、基板挿通穴１ａは多数本のボトル類を整列させて並置したボトル類の首部の直上に位置するように多数穿設してるもので、夫々円形と長方形を延設させた略鍵穴状に形成しており、ボトル類の首部を挿通させるものである。【００１４】  更に、係止用挿通穴１ｂは夫々の基板挿通穴１ａの両側に若干の間隔を有して矩形状に穿設したものであり、若干の間隔は後述する切断線１ｄで切断するもので係止用挿通穴１ｂと基板挿通穴１ａとは接続されるものである。【００１５】  更には、切断線１ｄは基板挿通穴１ａと両側の係止用挿通穴１ｂとの間を夫々切断するもので、切断線１ｄを設けることによって基板挿通穴１ａと両側の係止用挿通穴１ｂとは連通すると共に、基板挿通穴１ａの両側の端部に夫々略舌状の係止片１ｃが形成されるものである。【００１６】  次に、係止用挿通穴切断線１ｅは基板挿通穴１ａの両側に設けた夫々の係止用挿通穴１ｂの外側に切り込んでいるもので、後述する販促品収納袋２の袋側係止部２ｄの挿脱を容易とするものである。【００１７】  そして、販促品収納袋２は販促品を収納するための収納袋部２ａとボトル類の首部に装着するための装着部２ｃと基板１に付設するための袋側係止部２ｄとから成り、ボトル類の本数と同数を用意するものである。【００１８】  次いで、収納袋部２ａは長方形のシートを縦長にして半分に折曲させ両側を接着させたもので良く、開口辺は販促品を収納した後に��をするものである。【００１９】  更に、装着部２ｃは収納袋部２ａに後述する袋側係止部２ｄを介装して延設させた矩形状のもので、基板１の基板挿通穴１ａと位置が合致するように装着部２ｃの略中央にボトル類の首部を挿通させる円形の袋側挿通穴２ｂを穿設しているものである。【００２０】  更には、袋側係止部２ｄは厚みを加えた帯状に形成したもので、収納袋部２ａと装着部２ｃとの間に介装し、基板１に形成した切断線１ｄに沿って挿通させ両側の係止片１ｃで挟持させて販促品収納袋２を係止させるようにするものである。【００２１】  加えて、係止用切込部２ｅは袋側係止部２ｄの基部の両側にコ字状に切り込んだものであり、袋側係止部２ｄを基板１の切断線１ｄ及び両側の係止用挿通穴１ｂに挿通させた状態で側辺を挿通させて販促品収納袋２の抜落を防止するものである。【００２２】  本考案のボトル類用販促品の装着具によって販促品収納袋２を多数本のボトル類の一括して装着するのは、先ず、販促品収納袋２の収納袋部２ａに販促品を収納して袋側挿通穴２ｂと基板１の基板挿通穴１ａとの方向を合致させて、基板１の下側から切断線１ｄに沿って販促品収納袋２の袋側係止部２ｄを挿通させるものである。【００２３】  そうすると、基板１に形成した係止片１ｃで販促品収納袋２の袋側係止部２ｄを弾圧して係止させると共に、袋側係止部２ｄの両側にコ字状に切り込んだ係止用切込部２ｅに基板１の係止用挿通穴１ｂの側辺が挿通して販促品収納袋２の抜落を防止するものである。【００２４】  次いで、ケース等に整列させて並置された多数本のボトル類の上方から販促品収納袋２の袋側挿通穴２ｂと基板１の基板挿通穴１ａとに夫々ボトル類の首部に一括して挿通させるもので、そのままボトル類の首部まで押し下げて基板１を持ち上げると袋側挿通穴２ｂとボトル類の首部との摩擦抵抗により販促品収納袋２は残り一括して装着できるものである。【００２５】  尚、販促品収納袋２をボトル類に装着した後の基板１は再利用を可能とするものである。
【産業上の利用可能性】
【００２６】  本考案のボトル類用販促品の装着具は、多数本のボトル類を整列させて並置させて、基板の多数の基板挿通穴に多数本のボトル類の首部を挿通させて、基板を取り外すと販促品収納袋が各ボトル類の首部に残るものであり、基板への販促品が収納された販促品収納袋の装着をコストの廉価な地域で行い、消費地でボトル類の首部に一括して装着することを可能とするものである。
【図面の簡単な説明】
【００２７】
【図１】  図１は本考案のボトル類用販促品の装着具の装着状態を説明するための平面図である。
【図２】  図２は本考案のボトル類用販促品の装着具の実施例の基板を説明するための展開図である。
【図３】  図３は本考案のボトル類用販促品の装着具の実施例の販促品収納袋を説明するための平面図である。
【図４】  図４は本考案のボトル類用販促品の装着具の実施例の販促品収納袋を説明するための側面図である。
【符号の説明】
【００２８】  １      基板
１ａ    基板挿通穴
１ｂ    係止用挿通穴
１ｃ    係止片
１ｄ    切断線
１ｅ    係止用挿通穴切断線
１ｆ    折曲片
１ｇ    取手片
２      販促品収納袋
２ａ    収納袋部
２ｂ    袋側挿通穴
２ｃ    装着部
２ｄ    袋側係止部
２ｅ    係止用切込部
【図１】
0003120668.tif 000003
【図２】
0003120668.tif 000004
【図３】
0003120668.tif 000005
【図４】
0003120668.tif 000006